(57)【要約】【課題】ユーザが容易に電池劣化状態（電池寿命）を把握でき、充電直後にも拘わらず、すぐにバッテリーが無くなってしまう状態を未然に回避する。【解決手段】二次電池２の充電管理を行う充電管理装置１において、二次電池２の充電を行う毎に充電時間を計測し、二次電池毎の累積充電時間を算出し、表示／操作部６に累積充電時間を表示する。【選択図】図１
2008226758.tif 000002
【特許請求の範囲】
【請求項１】
二次電池の充電管理を行う充電管理装置において、
前記二次電池の充電を行う毎に充電時間を計測し、前記二次電池毎の累積充電時間を算出する累積充電時間算出部と、
前記累積充電時間を表示する表示部と、
を備えたことを特徴とする充電管理装置。
【請求項２】
請求項１記載の充電管理装置において、
前記累積充電時間算出部により算出された累積充電時間を記憶する累積充電時間記憶部を備えたことを特徴とする充電管理装置。
【請求項３】
請求項１または請求項２記載の充電管理装置において、
前記累積充電時間を前記二次電池が劣化されると予想される所定の基準累積充電時間と比較し、前記比較の結果に基づいて前記二次電池の寿命に関する情報を前記表示部に表示する電池寿命算出部を備えたことを特徴とする充電管理装置。
【請求項４】
請求項１ないし請求項３のいずれかに記載の充電管理装置において、
所定の１サイクルの充電に必要な充電時間である規定充電時間を超えた充電時間を有する充電回数を計測し、前記充電回数を更新しつつ不揮発的に記憶する充電回数記憶部を備え、
前記表示部は、前記充電回数を表示することを特徴とする充電管理装置。
【請求項５】
請求項１記載の充電管理装置において、
前記二次電池は、前記累積充電時間を記憶する累積充電時間記憶部を備え、
前記算出した累積充電時間を前記累積充電時間記憶部に記憶させることを特徴とする充電管理装置。
【請求項６】
請求項２記載の充電管理装置において、
前記二次電池は、当該二次電池を特定するための電池特定情報を記憶する電池特定情報記憶部を備え、
前記累積充電時間記憶部は、前記電池特定情報に対応づけて前記二次電池毎に前記累積充電時間を記憶することを特徴とする充電管理装置。
【請求項７】
各種情報を表示する表示部を備え、二次電池の充電管理を行う充電管理装置の制御方法において、
前記二次電池の充電を行う毎に充電時間を計測し、各前記二次電池毎の累積充電時間を算出する累積充電時間算出過程と、
前記累積充電時間を前記表示部に表示する表示過程と、
を備えたことを特徴とする充電管理装置の制御方法。
【請求項８】
各種情報を表示する表示部を備え、二次電池の充電管理を行う充電管理装置をコンピュータにより制御するための制御プログラムにおいて、
前記二次電池の充電を行う毎に充電時間を計測させ、
各前記二次電池毎の累積充電時間を算出させ、
前記累積充電時間を前記表示部に表示させる、
ことを特徴とする制御プログラム。
【発明の詳細な説明】
【技術分野】
【０００１】
本発明は、充電管理装置、充電管理装置の制御方法および制御プログラムに係り、特に二次電池の経時的な劣化を予想するための技術に関する。
【背景技術】
【０００２】
現在、携帯電話をはじめとする小型携帯機器は、電源としてニッケル−カドミウム電池、リチウムイオン電池などの二次電池が用いられており、充電して動作を行うようにされている（例えば、特許文献１参照）。
リチウムイオン電池は、その特性上、充電を繰り返しているうちに劣化が起こり、十分な電池容量を確保できなくなり、交換する必要が生じる。
【特許文献１】特開平４−２３６３７９号公報
【発明の開示】
【発明が解決しようとする課題】
【０００３】
しかしながら、現在のリチウムイオン電池は、電池電圧の低下を知らせる機能を有するものが提案され、市販もされているが、電池劣化そのものあるいは電池寿命を知らせるものはなく、劣化が進んだ場合には、充電直後にも拘わらず、すぐにバッテリーが無くなってしまい、予想外のタイミングで小型携帯機器を使用することができなくなってしまうという問題点があった。
そこで、本発明の目的は、ユーザが容易に電池劣化状態（電池寿命）を把握でき、充電直後にも拘わらず、すぐにバッテリーが無くなってしまう状態を未然に回避できる充電管理装置、充電管理装置の制御方法および制御プログラムを提供することにある。
【課題を解決するための手段】
【０００４】
上記課題を解決するため、二次電池の充電管理を行う充電管理装置において、前記二次電池の充電を行う毎に充電時間を計測し、前記二次電池毎の累積充電時間を算出する累積充電時間算出部と、前記累積充電時間を表示する表示部と、を備えたことを特徴としている。
上記構成によれば、累積充電時間算出部は、二次電池の充電を行う毎に充電時間を計測し、前記二次電池毎の累積充電時間を算出する。
これにより、表示部は、累積充電時間を表示する。
したがって、ユーザが容易に電池劣化状態（電池寿命）を把握でき、充電直後にも拘わらず、すぐにバッテリーが無くなってしまう状態を未然に回避でき、使い勝手が向上する。
【０００５】
この場合において、前記累積充電時間算出部により算出された累積充電時間を記憶する累積充電時間記憶部を備えたことを特徴としている。
上記構成によれば、累積充電時間記憶部は、算出された累積充電時間を記憶するので、記憶した累積充電時間に基づいてユーザは、容易に電池劣化状態（電池寿命）を把握でき、充電直後にも拘わらず、すぐにバッテリーが無くなってしまう状態を未然に回避でき、使い勝手が向上する。
【０００６】
また、前記累積充電時間を前記二次電池が劣化されると予想される所定の基準累積充電時間と比較し、前記比較の結果に基づいて前記二次電池の寿命に関する情報を前記表示部に表示する電池寿命算出部を備えたことを特徴としている。
上記構成によれば、電池寿命算出部は、二次電池の寿命に関する情報を直接的に表示部に表示できるので、ユーザはより容易に電池劣化状態（電池寿命）を把握できる。
【０００７】
また、所定の１サイクルの充電に必要な充電時間である規定充電時間を超えた充電時間を有する充電回数を計測し、前記充電回数を更新しつつ不揮発的に記憶する充電回数記憶部を備え、前記表示部は、前記充電回数を表示することを特徴としている。
上記構成によれば、充電回数の観点からもユーザはより容易に電池劣化状態（電池寿命）を把握できる。
【０００８】
また、前記二次電池は、前記累積充電時間を記憶する累積充電時間記憶部を備え、前記算出した累積充電時間を前記累積充電時間記憶部に記憶させることを特徴としている。
上記構成によれば、二次電池自身が算出された累積充電時間を記憶しているので、充電管理装置を外部の二次電池の充電器として用いる場合であっても、ユーザが容易に各二次電池の電池劣化状態（電池寿命）を把握でき、充電直後にも拘わらず、すぐにバッテリーが無くなってしまう状態を未然に回避でき、使い勝手が向上する。
【０００９】
また、前記二次電池は、当該二次電池を特定するための電池特定情報を記憶する電池特定情報記憶部を備え、前記累積充電時間記憶部は、前記電池特定情報に対応づけて前記二次電池毎に前記累積充電時間を記憶することを特徴としている。
上記構成によれば、充電管理装置は、各二次電池を特定し、二次電池毎に累積充電時間を記憶するので、充電管理装置を外部の二次電池の充電器として用いる場合であっても、ユーザが容易に各二次電池の電池劣化状態（電池寿命）を把握でき、充電直後にも拘わらず、すぐにバッテリーが無くなってしまう状態を未然に回避でき、使い勝手が向上する。
【００１０】
また、各種情報を表示する表示部を備え、二次電池の充電管理を行う充電管理装置の制御方法において、前記二次電池の充電を行う毎に充電時間を計測し、各前記二次電池毎の累積充電時間を算出する累積充電時間算出過程と、前記累積充電時間を前記表示部に表示する表示過程と、を備えたことを特徴としている。
上記構成によれば、ユーザが容易に電池劣化状態（電池寿命）を把握でき、充電直後にも拘わらず、すぐにバッテリーが無くなってしまう状態を未然に回避でき、使い勝手が向上する。
【００１１】
また、各種情報を表示する表示部を備え、二次電池の充電管理を行う充電管理装置をコンピュータにより制御するための制御プログラムにおいて、前記二次電池の充電を行う毎に充電時間を計測させ、各前記二次電池毎の累積充電時間を算出させ、前記累積充電時間を前記表示部に表示させる、ことを特徴としている。
上記構成によれば、ユーザが容易に電池劣化状態（電池寿命）を把握でき、充電直後にも拘わらず、すぐにバッテリーが無くなってしまう状態を未然に回避でき、使い勝手が向上する。
この場合において、制御プログラムをコンピュータ読取可能な記録媒体に記録するようにしても良い。
【発明を実施するための最良の形態】
【００１２】
次に本発明の好適な実施の形態について説明する。
［１］第１実施形態
図１は、携帯機器に組み込まれる充電管理装置の概要構成ブロック図である。
充電管理装置１は、二次電池２と、二次電池２の充電制御を行う充電制御部３と、充電管理装置全体の制御を行うＣＰＵ４と、累積充電時間情報を含む各種情報を不揮発的に記憶するメモリ５と、各種情報を表示するとともに、ユーザが各種操作を行うための表示／操作部６と、充電電圧が印加される充電電圧端子７と、接地を行うためのグランド端子８と、各種経時処理を行う計時部９と、を備えて構成されている。
二次電池２は、リチウムイオン電池等で構成されており、充電制御部３により、充電が行われて、電力を供給する。
【００１３】
充電制御部３は、二次電池を保護するための図示しない電池保護ＩＣと、充電の電流や電圧を制御する図示しない充電制御ＩＣと、を備え、ＣＰＵ４の制御下で二次電池の保護を行いつつ充電を行う。さらに外部端子である充電電圧端子７およびグランド端子８を介して充電が開始されたこと並びに充電が終了したことを信号ＶＣＨＧによって、ＣＰＵ４に伝える。
ＣＰＵ４は、充電管理装置１全体の制御を行うとともに、表示／操作部６に接続され、表示／操作部６に時計の表示を行ったり、表示／操作部６の操作状態に応じて表示情報の変更処理などを行う。この場合において、ＣＰＵ４が、各機能を実現するための制御プログラムは予め図示しないＲＯＭに格納されている。
メモリ５は、ＥＥＰＲＯＭなどの不揮発性のメモリで構成され、累積充電時間情報を更新可能に不揮発的に記憶している。
【００１４】
表示／操作部６は、液晶ディスプレイなどの表示部と、スイッチなどの操作子を複数備えた操作部と、を備えており、各種情報の表示とともに、ユーザの指示操作がなされることとなる。
充電電圧端子７およびグランド端子８には充電電圧が印加され、充電電圧端子７とグランド端子８との間を充電制御部３を介して充電電流が流れることにより、二次電池２に充電がなされるようになっている。
また計時部９は、時刻データや、経過時間データ等のデータの他、ＣＰＵ４に一定の基準信号（動作用の基準クロック信号など）を供給している。
【００１５】
図２は、充電時の動作処理フローチャートである。
以下の説明においては、充電時に信号ＶＣＨＧは“Ｈ”レベルとなり、非充電時に信号ＶＣＨＧは“Ｌ”レベルとなるものとする。
まず、ＣＰＵ４は、通常処理を行い（ステップＳ１１）、例えば、表示／操作部６において時刻の表示等をおこなう。
この通常処理と並行して、充電制御部３は、外部端子である充電電圧端子７および接地端子８を介して充電電圧が所定量以上変化したことを検出すると、充電制御部３は、ＣＰＵ４に対して出力する信号ＶＣＨＧの信号レベルを遷移させる。すなわち、充電電圧が所定量以上変化し、充電電圧が所定電圧より高くなって充電状態となると信号ＶＣＨＧは“Ｈ”レベルとなり、充電電圧が所定電圧より低くなって非充電時となると信号ＶＣＨＧは“Ｌ”レベルとなることとなる。
【００１６】
信号ＶＣＨＧの信号レベルが遷移すると、ＣＰＵ４は、充電時割込動作（ＶＣＨＧ割込）を開始する（ステップＳ１２）。
そして、ＣＰＵ４は、信号ＶＣＨＧの信号レベルの遷移方向（信号立上がり方向あるいは信号立下がり方向）に基づいて、充電が開始されたのか否かを判別する（ステップＳ１３）。
ステップＳ１３の判別において、信号ＶＣＨＧの信号レベルの遷移方向が信号立上がり方向であることを検出した場合には、充電が開始された場合であるので、計時部９からの基準信号をもとに、充電開始からの経過時間に相当する値をカウントする充電経過時間カウンタのカウントを開始し、再び処理をステップＳ１１に移行する。
【００１７】
ステップＳ１３の判別において、信号レベルの遷移方向が信号立下がり方向であることを検出した場合には、充電が終了した場合であるので、ＣＰＵ４は、充電経過時間カウンタのカウントを停止し、得られたカウント値を充電経過時間データＴｎとする（ステップＳ１５）。
次にＣＰＵ４は、メモリ５から当該二次電池２における累積充電回数に相当する充電回数データＣおよび累積充電時間に相当する累積充電時間データＴを読み出す（ステップＳ１６）。
次にＣＰＵ４は、今回の充電経過時間データＴｎに相当する充電経過時間が予め規定した規定充電経過時間より長いか否かを判別する（ステップＳ１７）。
【００１８】
ここで、規定充電経過時間について説明する。
二次電池２として、例えば、リチウムイオン二次電池を用いた場合、標準となる充電時間が規定されており、２〜３時間が１サイクルの充電時間となっている。このため、本実施形態では、規定充電時間を２時間とし、充電経過時間データＴｎに相当する充電経過時間が２時間以上であるか否かを判別している。
ステップＳ１７の判別において、今回の充電経過時間データＴｎに相当する充電経過時間が予め規定した規定充電経過時間より短い場合には（ステップＳ１７；Ｎｏ）、充電回数としては、カウントする必要がないが、二次電池２の電池寿命には影響するので、ＣＰＵ４は、累積充電時間データＴを更新し、
Ｔ＝Ｔ＋Ｔｎ
とする（ステップＳ１８）。
【００１９】
次にＣＰＵ４は、充電回数データＣおよび累積充電時間データＴを更新すべくメモリ５に書き込んで（ステップＳ２０）、再び処理をステップＳ１１に移行することとなる。
ステップＳ１７の判別において、今回の充電経過時間データＴｎに相当する充電経過時間が予め規定した規定充電経過時間以上である場合には（ステップＳ１７；Ｙｅｓ）、ＣＰＵ４は、充電回数データＣおよび累積充電時間データＴを更新し、
Ｃ＝Ｃ＋１
Ｔ＝Ｔ＋Ｔｎ
とする（ステップＳ１９）。
次にＣＰＵ４は、充電回数データＣおよび累積充電時間データＴを更新すべくメモリ５に書き込んで（ステップＳ２０）、再び処理をステップＳ１１に移行することとなる。
【００２０】
図３は、表示部に現在までの充電履歴を表示した場合の説明図である。
図３の場合、表示／操作部６の充電回数表示部３１には、現在までに１５０回の充電（規定充電経過時間以上の充電）を行った旨が表示されており、累積充電時間表示部３２には、現在までのトータルの充電時間（累積充電時間）は３２０時間である旨が表示されている。
表示／操作部６のバーグラフ表示部３３には、当該二次電池２に対応する電池劣化までの予想時間（電池劣化に至るまでの累積充電時間）に対する現在の使用状況（累積充電時間）を示している。
【００２１】
この場合において、電池劣化までの予想時間は、電池劣化に至ると予想される充電可能回数を３００回（＝３００サイクル）とし、１回の充電サイクルが２〜３時間であるとすると、予想寿命時間Ｔｌｉｆｅは、以下のように設定される。
３００×２＜Ｔｌｉｆｅ＜３００×３（時間）
したがって、本例の場合、最も短いと思われる予想寿命時間Ｔｌｉｆｅ＝６００時間を当該二次電池２の寿命時間（＝最低予想寿命時間）とし、当該予想寿命時間Ｔｌｉｆｅ＝６００時間を１００％とした場合の、現在の累積充電時間の百分率がグラフ表示される。
より具体的には、上述の例の場合、バーグラフ表示部３３には、
３２０／６００×１００＝５３％
が、現在の使用状態であることが示されている。
さらに、バーグラフ表示部３３には、累積充電時間が６００時間を超過し、９００時間（最大予想寿命時間）に至るまでの間、電池が劣化状態にあるであろうことを表す劣化状態表示部３４が設けられている。
【００２２】
図４は、表示部に充電状態を表示した場合の説明図である。
図４の場合、表示／操作部６の充電経過時間表示部３５には、今回の充電経過時間が６０分であり、充電状態表示部３６には、満充電時間（充電経過時間＝２時間）を１００％とした場合の、現在の充電経過時間の百分率がグラフ表示される。
さらに、充電経過時間表示部３５には、充電経過時間が２時間（充電サイクル＝２時間に相当）を超過し、３時間（充電サイクル＝３時間に相当）に至るまでの間も表示を行う。
【００２３】
以上の説明のように、本第１実施形態によれば、累積充電回数だけでなく、累積充電時間もカウントしているため、累積充電回数のみをカウントした場合のように、短時間の充電でも１回の充電と見倣す場合と比較して、より正確に二次電池の充電による劣化状態を把握することができる。
以上の説明は、二次電池の交換が行われない前提で説明したが、二次電池２の交換を行った時は、メニューから電池交換を行った旨を入力したり、内部スイッチ等を設けて、機構的に電池交換があった旨をＣＰＵ４に通知し、メモリ５に記憶している充電回数データＣおよび累積充電時間データＴを初期値にリセットするようにすればよい。
【００２４】
［２］第２実施形態
図５は、第２実施形態の充電管理装置の概要構成ブロック図である。
本第２実施形態においては、充電管理装置を外部の二次電池を充電する充電装置として構成した場合の実施形態である。
充電管理装置１Ａは、外部の二次電池２Ｘの充電制御を行う充電制御部３と、充電管理装置全体の制御を行うＣＰＵ４と、各種情報を不揮発的に記憶するメモリ５と、各種情報を表示するとともに、ユーザが各種操作を行うための表示／操作部６と、充電電圧が印加される充電電圧端子７と、接地を行うためのグランド端子８と、各種経時処理を行う計時部９と、を備えて構成されている。
【００２５】
ここで、充電制御部３、表示／操作部６、充電電圧端子７、グランド端子８および計時部９については、第１実施形態と同様であるので、その詳細な説明は、省略する。
二次電池２Ｘは、リチウムイオン電池等で構成されており、累積充電時間情報を不揮発的に記憶するＥＥＰＲＯＭなどの不揮発性メモリで構成された充電情報記憶部４１を備えており、充電制御部３により、充電が行われて、電力を供給する。
ここで、充電情報記憶部４１には、当該二次電池２Ｘに対応する充電回数データＣおよび累積充電時間データＴが格納されている。
ＣＰＵ４は、充電管理装置１Ａ全体の制御を行うとともに、表示／操作部６に接続され、表示／操作部６に時計の表示を行ったり、表示／操作部６の操作状態に応じて表示情報の変更処理などを行う。また、ＣＰＵ４は、二次電池２Ｘの充電情報記憶部４１のデータを読み出して、充電管理を行うこととなる。
【００２６】
次に第２実施形態の動作について、図２の充電時の動作処理フローチャートを参照して説明する。
以下の説明においても、充電時に信号ＶＣＨＧは“Ｈ”レベルとなり、非充電時に信号ＶＣＨＧは“Ｌ”レベルとなるものとする。
まず、ＣＰＵ４は、通常処理を行い（ステップＳ１１）、例えば、表示／操作部６において時刻の表示等をおこなう。
この通常処理と並行して、充電制御部３は、二次電池２Ｘが電気的に接続された状態で、外部端子である充電電圧端子７および接地端子８を介して充電電圧が所定量以上変化したことを検出すると、充電制御部３は、ＣＰＵ４に対して出力する信号ＶＣＨＧの信号レベルを遷移させる。すなわち、充電電圧が所定量以上変化し、充電電圧が所定電圧より高くなって充電状態となると信号ＶＣＨＧは“Ｈ”レベルとなり、充電電圧が所定電圧より低くなって非充電時となると信号ＶＣＨＧは“Ｌ”レベルとなることとなる。
【００２７】
信号ＶＣＨＧの信号レベルが遷移すると、ＣＰＵ４は、充電時割込動作（ＶＣＨＧ割込）を開始する（ステップＳ１２）。
そして、ＣＰＵ４は、信号ＶＣＨＧの信号レベルの遷移方向（信号立上がり方向あるいは信号立下がり方向）に基づいて、充電が開始されたのか否かを判別する（ステップＳ１３）。
ステップＳ１３の判別において、信号ＶＣＨＧの信号レベルの遷移方向が信号立上がり方向であることを検出した場合には、充電が開始された場合であるので、計時部９からの基準信号をもとに、充電開始からの経過時間に相当する値をカウントする充電経過時間カウンタのカウントを開始し、再び処理をステップＳ１１に移行する。
ステップＳ１３の判別において、信号レベルの遷移方向が信号立下がり方向であることを検出した場合には、充電が終了した場合であるので、ＣＰＵ４は、充電経過時間カウンタのカウントを停止し、得られたカウント値を充電経過時間データＴｎとする（ステップＳ１５）。
【００２８】
次にＣＰＵ４は、二次電池２Ｘの充電情報記憶部４１から当該二次電池２Ｘの充電回数データＣおよび累積充電時間データＴを読み出す（ステップＳ１６）。
次にＣＰＵ４は、今回の充電経過時間データＴｎに相当する充電経過時間が予め規定した規定充電経過時間より長いか否かを判別する（ステップＳ１７）。
ステップＳ１７の判別において、今回の充電経過時間データＴｎに相当する充電経過時間が予め規定した規定充電経過時間より短い場合には（ステップＳ１７；Ｎｏ）、充電回数としては、カウントする必要がないが、二次電池２の電池寿命には影響するので、ＣＰＵ４は、累積充電時間データＴを更新し、
Ｔ＝Ｔ＋Ｔｎ
とする（ステップＳ１８）。
【００２９】
次にＣＰＵ４は、充電回数データＣおよび累積充電時間データＴを更新すべく充電情報記憶部４１に書き込んで（ステップＳ２０）、再び処理をステップＳ１１に移行することとなる。
ステップＳ１７の判別において、今回の充電経過時間データＴｎに相当する充電経過時間が予め規定した規定充電経過時間以上である場合には（ステップＳ１７；Ｙｅｓ）、ＣＰＵ４は、充電回数データＣおよび累積充電時間データＴを更新し、
Ｃ＝Ｃ＋１
Ｔ＝Ｔ＋Ｔｎ
とする（ステップＳ１９）。
次にＣＰＵ４は、充電回数データＣおよび累積充電時間データＴを更新すべく充電情報記憶部４１に書き込んで（ステップＳ２０）、再び処理をステップＳ１１に移行することとなる。
以上の説明のように、本第２実施形態によれば、累積充電回数だけでなく、累積充電時間もカウントし、充電対象の二次電池に記憶させておくため、充電管理装置を充電装置として外部の二次電池を充電する構成を採った場合でも、第１実施形態と同様により正確に二次電池の充電による劣化状態を把握することができる。
【００３０】
［３］第３実施形態
図６は、第３実施形態の充電管理装置の概要構成ブロック図である。
本第２実施形態においては、充電管理装置を外部の二次電池を充電する充電装置として構成した場合の他の実施形態である。
本第３実施形態が、第２実施形態と異なる点は、充電情報記憶部４１に代えて、二次電池を特定するための電池特定情報を記憶する電池特定情報記憶部４２を備えた点である。
充電管理装置１Ａは、外部の二次電池２Ｙの充電制御を行う充電制御部３と、充電管理装置全体の制御を行うＣＰＵ４と、電池特定情報に対応づけた累積充電時間情報を含む各種情報を不揮発的に記憶するメモリ５と、各種情報を表示するとともに、ユーザが各種操作を行うための表示／操作部６と、充電電圧が印加される充電電圧端子７と、接地を行うためのグランド端子８と、各種経時処理を行う計時部９と、を備えて構成されている。
【００３１】
ここで、充電制御部３、表示／操作部６、充電電圧端子７、グランド端子８および計時部９については、第１実施形態と同様であるので、その詳細な説明は、省略する。
二次電池２Ｙは、リチウムイオン二次電池等で構成されており、当該二次電池２Ｙを特定するための電池特定情報を記憶する電池特定情報を不揮発的に記憶するＥＥＰＲＯＭなどの不揮発性メモリで構成された電池特定情報記憶部４２を備えており、充電制御部３により、充電が行われて、電力を供給する。
ここで、電池特定情報記憶部４２は、ＣＰＵ４が二次電池２Ｙを特定し、当該二次電池２Ｙに対応する充電回数データＣおよび累積充電時間データＴを対応づけて管理するために用いられる電池特定情報が格納されている。
メモリ５は、電池特定情報に対応づけた累積充電時間情報を複数の電池について記憶している。
【００３２】
次に第３実施形態の動作について、図２の充電時の動作処理フローチャートを参照して説明する。
以下の説明においても、充電時に信号ＶＣＨＧは“Ｈ”レベルとなり、非充電時に信号ＶＣＨＧは“Ｌ”レベルとなるものとする。
まず、ＣＰＵ４は、通常処理を行い（ステップＳ１１）、例えば、表示／操作部６において時刻の表示等をおこなう。
この通常処理と並行して、充電制御部３は、二次電池２Ｙが電気的に接続された状態で、外部端子である充電電圧端子７および接地端子８を介して充電電圧が所定量以上変化したことを検出すると、充電制御部３は、ＣＰＵ４に対して出力する信号ＶＣＨＧの信号レベルを遷移させる。すなわち、充電電圧が所定量以上変化し、充電電圧が所定電圧より高くなって充電状態となると信号ＶＣＨＧは“Ｈ”レベルとなり、充電電圧が所定電圧より低くなって非充電時となると信号ＶＣＨＧは“Ｌ”レベルとなることとなる。
信号ＶＣＨＧの信号レベルが遷移すると、ＣＰＵ４は、充電時割込動作（ＶＣＨＧ割込）を開始する（ステップＳ１２）。
【００３３】
そして、ＣＰＵ４は、信号ＶＣＨＧの信号レベルの遷移方向（信号立上がり方向あるいは信号立下がり方向）に基づいて、充電が開始されたのか否かを判別する（ステップＳ１３）。
ステップＳ１３の判別において、信号ＶＣＨＧの信号レベルの遷移方向が信号立上がり方向であることを検出した場合には、充電が開始された場合であるので、計時部９からの基準信号をもとに、充電開始からの経過時間に相当する値をカウントする充電経過時間カウンタのカウントを開始し、再び処理をステップＳ１１に移行する。
ステップＳ１３の判別において、信号レベルの遷移方向が信号立下がり方向であることを検出した場合には、充電が終了した場合であるので、ＣＰＵ４は、充電経過時間カウンタのカウントを停止し、得られたカウント値を充電経過時間データＴｎとする（ステップＳ１５）。
【００３４】
次にＣＰＵ４は、二次電池２Ｙの電池特定情報記憶部４２から当該二次電池２Ｙを特定するための電池特定情報を読み出し、読み出した電池特定情報に対応する充電回数データＣおよび累積充電時間データＴをメモリ５から読み出す（ステップＳ１６）。
次にＣＰＵ４は、今回の充電経過時間データＴｎに相当する充電経過時間が予め規定した規定充電経過時間より長いか否かを判別する（ステップＳ１７）。
ステップＳ１７の判別において、今回の充電経過時間データＴｎに相当する充電経過時間が予め規定した規定充電経過時間より短い場合には（ステップＳ１７；Ｎｏ）、充電回数としては、カウントする必要がないが、二次電池２の電池寿命には影響するので、ＣＰＵ４は、累積充電時間データＴを更新し、
Ｔ＝Ｔ＋Ｔｎ
とする（ステップＳ１８）。
【００３５】
次にＣＰＵ４は、充電回数データＣおよび累積充電時間データＴを更新すべく、電池特定情報に対応づけてメモリ５に書き込んで（ステップＳ２０）、再び処理をステップＳ１１に移行することとなる。
ステップＳ１７の判別において、今回の充電経過時間データＴｎに相当する充電経過時間が予め規定した規定充電経過時間以上である場合には（ステップＳ１７；Ｙｅｓ）、ＣＰＵ４は、充電回数データＣおよび累積充電時間データＴを更新し、
Ｃ＝Ｃ＋１
Ｔ＝Ｔ＋Ｔｎ
とする（ステップＳ１９）。
次にＣＰＵ４は、充電回数データＣおよび累積充電時間データＴを更新すべくメモリ５に電池特定情報に対応づけて充電回数データＣおよび累積充電時間データＴを書き込んで（ステップＳ２０）、再び処理をステップＳ１１に移行することとなる。
以上の説明のように、本第３実施形態によれば、累積充電回数だけでなく、累積充電時間もカウントし、充電対象の二次電池を特定するための電池特定情報に対応づけて記憶させておくため、充電管理装置を充電装置として外部の二次電池を充電する構成を採った場合でも、第１実施形態および第２実施形態と同様により正確に二次電池の充電による劣化状態を把握することができる。
【００３６】
［４］実施形態の効果
以上の説明のように、各実施形態によれば、二次電池毎に充電開始からどれくらい経過したか、または、満充電まであとどれくらいなのかがわかり、充電後使用できる時間がすぐに想定できる。また、累積充電時間を履歴として把握でき、どれくらい二次電池を充電したかがわかるため、二次電池の劣化が進行していることがわかり、満充電したにもかかわらず、すぐに使用できなくなってしまう危険性を未然に回避することも可能となる。
【００３７】
［５］実施形態の変形例
以上の説明においては、上記各機能を実現するための制御プログラムが、予め図示しないＲＯＭに格納されている場合について説明したが、制御プログラムを、コンピュータ（ＣＰＵ）読取可能な記録媒体に記録するようにしてもよい。このような構成であれば、コンピュータによってプログラムが記憶媒体から読み取られ、読み取られたプログラムに従ってコンピュータが処理を実行すると、上記各実施形態と同等の作用および効果が得られる。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００３８】
【図１】第１実施形態の画質調整システムの概要構成ブロック図である。
【図２】充電時の動作処理フローチャートである。
【図３】表示部に現在までの充電履歴を表示した場合の説明図である。
【図４】表示部に充電状態を表示した場合の説明図である。
【図５】第２実施形態の充電管理装置の概要構成ブロック図である。
【図６】第３実施形態の充電管理装置の概要構成ブロック図である。
【符号の説明】
【００３９】
１…充電管理装置、１Ａ…充電管理装置、２…二次電池、２Ｘ…二次電池、２Ｙ…二次電池、３…充電制御部、４…ＣＰＵ、５…メモリ、６…表示／操作部、７…充電電圧端子、８…接地端子、８…グランド端子、９…計時部、３１…充電回数表示部、３２…累積充電時間表示部、３３…バーグラフ表示部、３４…劣化状態表示部、３５…充電経過時間表示部、３６…充電状態表示部、４１…充電情報記憶部、４２…電池特定情報記憶部、Ｃ…充電回数データ、Ｔ…累積充電時間データ、Ｔｌｉｆｅ…予想寿命時間、Ｔｎ…充電経過時間データ、ＶＣＨＧ…信号。
【図１】
2008226758.tif 000003
【図２】
2008226758.tif 000004
【図３】
2008226758.tif 000005
【図４】
2008226758.tif 000006
【図５】
2008226758.tif 000007
【図６】
2008226758.tif 000008